(57)【要約】【課題】  接触端子付きＩＣカードの静電破壊を防止した接触端子付きＩＣカード搬送手段、接触端子付きＩＣカード発行装置、接触端子付きＩＣカード搬送方法、および接触端子付きＩＣカード発行方法を提供する。【解決手段】  接触端子付きＩＣカード１の端子側の面と接触するローラー４が金属製であり、かつそのローラー４の外周面に不導体層７を形成することにより、接触端子付きＩＣカード１の端子が金属製のローラー４と接触する際に接触端子付きＩＣカード１の表面に蓄積していた電荷が金属製のローラー４及び端子を介してＩＣチップ内に侵入しようとしても、金属製のローラー４の表面には不導体層７が形成されているので、その蓄積した電荷がＩＣチップ内に侵入するのが防止されＩＣチップ内の回路が破損されることが防止される。【選択図】  図１
2005267114.tif 000002
【特許請求の範囲】
【請求項１】
接触端子付きＩＣカードを複数対のローラーで挟み、各ローラーを回転駆動して該接触端子付きＩＣカードをカードスタッカー側からカードホッパー側に搬送する接触端子付きＩＣカード搬送手段において、
前記ローラーのうち、前記接触端子付きＩＣカードの端子側の面に接触するローラーが金属製であり、かつそのローラーの外周面に不導体層が形成されていることを特徴とする接触端子付きＩＣカード搬送手段。
【請求項２】
前記接触端子付きＩＣカードの端子部側の面と接触する金属製のローラーの外周面のうち前記端子部と接触する位置の周面のみ帯状に不導体層が形成されていることを特徴とする請求項１記載の接触端子付きＩＣカード搬送手段。
【請求項３】
前記不導体層は前記金属製のローラーの表面が酸化した酸化膜であることを特徴とする請求項１または２記載の接触端子付きＩＣカード搬送手段。
【請求項４】
接触端子付きＩＣカードを複数対のローラーで挟み、各ローラーを回転駆動して該接触端子付きＩＣカードをカードスタッカー側からカードホッパー側に搬送する搬送手段と、
該搬送手段で所定の位置に搬送された前記接触端子付きＩＣカードの端子を介してデータの授受を行うカード発行部とを備えた接触端子付きＩＣカード発行装置において、
前記ローラーのうち、前記カード発行部内で前記接触端子付きＩＣカードの端子側の面に接触するローラーが金属製であり、かつそのローラーの外周面に不導体層が形成されていることを特徴とする接触端子付きＩＣカード発行装置。
【請求項５】
前記カードスタッカーと前記カードホッパーとの間に前記接触端子付きＩＣカードに印字を行うカード印字部を備え、該カード印字部内で前記接触端子付きＩＣカードの端子側の面に接触するローラーが金属製であり、かつそのローラーの外周面に不導体層が形成されていることを特徴とする請求項４記載の接触端子付きＩＣカード発行装置。
【請求項６】
前記接触端子付きＩＣカードの端子部側の面と接触する金属製のローラーの外周面のうち前記端子部と接触する位置の周面のみ帯状に不導体層が形成されていることを特徴とする請求項４または５記載の接触端子付きＩＣカード発行装置。
【請求項７】
前記不導体層は前記金属製のローラーの表面が酸化した酸化膜であることを特徴とする請求項４から６のいずれか１項記載の接触端子付きＩＣカード発行装置。
【請求項８】
前記カードスタッカーと前記カード印字部との間に、前記接触端子付きＩＣカードを保持した状態で回動することにより裏返す回動保持器を備えたことを特徴とする請求項７記載の接触端子付きＩＣカード発行装置。
【請求項９】
前記回動保持器の下方にリジェクトカードスタッカーを備えたことを特徴とする請求項８記載の接触端子付きＩＣカード発行装置。
【請求項１０】
接触端子付きＩＣカードを複数対のローラーで挟み、各ローラーを回転駆動してカードスタッカー側からカードホッパー側に搬送する接触端子付きＩＣカード搬送方法において、
外周面に不導体層を形成した金属製のローラーを準備し、
前記金属製のローラーを前記接触端子付きＩＣカードの端子側の面に接触すると共に他のローラーで前記接触端子付きＩＣカードを挟むように前記金属製のローラーを回転駆動して前記接触端子付きＩＣカードを搬送することを特徴とする接触端子付きＩＣカード搬送方法。
【請求項１１】
接触端子付きＩＣカードを複数対のローラーで挟み、各ローラーを回転駆動して該接触端子付きＩＣカードをカードスタッカー側からカードホッパー側に搬送する途中で、カード発行部によりデータの授受を行う接触端子付きＩＣカード発行方法において、
外周面に不導体層を形成した金属製のローラーを準備し、
該金属製のローラーを前記接触端子付きＩＣカードの端子側の面に接触すると共に他のローラーで前記接触端子付きＩＣカードを挟むように前記カード発行部内に配置し、
該金属製のローラーを回転駆動して前記接触端子付きＩＣカードを搬送することを特徴とする接触端子付きＩＣカード発行方法。
【請求項１２】
前記接触端子付きＩＣカードに印字を行うことを特徴とする請求項１１記載の接触端子付きＩＣカード発行方法。
【請求項１３】
前記印字を行う前に回動保持器により前記接触端子付きＩＣカードを保持した状態で回動することにより裏返すことを特徴とする請求項１２記載のＩＣカード発行方法。
【請求項１４】
前記接触端子付きＩＣカードに不良が発生すると、前記回動保持器により前記接触端子付きＩＣカードを回動し、前記接触端子付きＩＣカードの延長面がリジェクトカードスタッカーと交差したときに前記接触端子付きＩＣカードをリジェクトカードスタッカー内に搬送させることを特徴とする請求項１３記載のＩＣカード発行方法。
【発明の詳細な説明】
【技術分野】
【０００１】
本発明は、接触端子付きＩＣカード搬送手段、接触端子付きＩＣカード発行装置、接触端子付きＩＣカード搬送方法、および接触端子付きＩＣカード発行方法に関する。
【背景技術】
【０００２】
一般に、ＩＣカード１や磁気カード等のカードの搬送には図４に示すように複数対のローラー２、３、８、９を用い、これらのローラー２、３、８、９でカードを挟むと共にローラー２、３、８、９を矢印Ｐ１、Ｐ２、Ｐ３、Ｐ４方向に回転させることにより矢印Ｐ５方向に搬送している。
図４は、従来のカードの搬送手段を示す模式図である（例えば、特許文献１参照）。
【特許文献１】特開２００１−２４６８８５号公報
【発明の開示】
【発明が解決しようとする課題】
【０００３】
ところで、接触端子付きＩＣカード１を搬送手段で搬送する場合、データの授受を行ってデータを書き込んだり、読み出したり、検査したりするカード発行部内や接触端子付きＩＣカードの表面に文字や数字等を印字する印字部内で静電気が発生し、その静電気による接触端子付きＩＣカードモジュール内のＩＣチップが静電破壊されるのを防止するため、図５に示すように接触端子付きＩＣカード１の端子側の面１ａと接触するローラー８（図４参照）の代わりに金属製ローラー６を用いると共にその金属製ローラー６にアースをとることが行われている。
【０００４】
図５は、従来のカードの搬送手段を示す他の模式図である。
しかしながら、何らかの原因で湿度が低下したり、搬送速度が速すぎたり（ローラー２、３、６、９と接触端子付きＩＣカード１との間の急激な剥離による高い静電気の発生）、接地抵抗が高抵抗であったりすると、接触端子付きＩＣカード１の端子（図示せず）が金属製ローラー６と接触する際に接触端子付きＩＣカード１の表面の電荷が金属製ローラー６及び端子を介してＩＣモジュールのＩＣチップ（図示せず）内に侵入し、ＩＣチップ内の回路を破損する不具合が発生することがあった。
【０００５】
そこで、本発明の目的は、接触端子付きＩＣカードの静電破壊を防止した接触端子付きＩＣカード搬送手段、接触端子付きＩＣカード発行装置、接触端子付きＩＣカード搬送方法、および接触端子付きＩＣカード発行方法を提供することにある。
【課題を解決するための手段】
【０００６】
上記課題を解決するために、本発明の請求項１記載の発明は、接触端子付きＩＣカードを複数対のローラーで挟み、各ローラーを回転駆動して該接触端子付きＩＣカードをカードスタッカー側からカードホッパー側に搬送する接触端子付きＩＣカード搬送手段において、前記ローラーのうち、前記接触端子付きＩＣカードの端子側の面に接触するローラーの少なくとも一つが金属製であり、かつそのローラーの外周面に不導体層が形成されていることを特徴とする。
請求項１記載の発明によれば、接触端子付きＩＣカードの端子側の面と接触するローラーが金属製であり、かつそのローラーの外周面に不導体層を形成することにより、接触端子付きＩＣカードの端子が金属製のローラーと接触する際に接触端子付きＩＣカードの表面に蓄積していた電荷が金属製ローラー及び端子を介してＩＣチップ内に侵入しようとしても、金属製のローラーの表面には不導体層が形成されているので、その蓄積した電荷がＩＣチップ内に侵入するのが防止されＩＣチップ内の回路が破損されることが防止される。
【０００７】
請求項２記載の発明は、請求項１記載の発明において、前記接触端子付きＩＣカードの端子部側の面と接触する金属製のローラーの外周面のうち前記端子部と接触する位置の周面のみ帯状に不導体層が形成されていることを特徴とする。
【０００８】
請求項３記載の発明は、請求項１または２記載の発明において、前記不導体層は前記金属製のローラーの表面を酸化させた酸化膜であることを特徴とする。
【０００９】
請求項４記載の発明は、接触端子付きＩＣカードを複数対のローラーで挟み、各ローラーを回転駆動して該接触端子付きＩＣカードをカードスタッカー側からカードホッパー側に搬送する搬送手段と、該搬送手段で所定の位置に搬送された前記接触端子付きＩＣカードの端子を介してデータの授受を行うカード発行部とを備えた接触端子付きＩＣカード発行装置において、前記ローラーのうち、前記カード発行部内で前記接触端子付きＩＣカードの端子側の面に接触するローラーが金属製であり、かつそのローラーの外周面に不導体層が形成されていることを特徴とする。
【００１０】
請求項５記載の発明は、請求項４記載の発明において、前記カードスタッカーと前記カードホッパーとの間に前記接触端子付きＩＣカードに印字を行うカード印字部を備え、該カード印字部内で前記接触端子付きＩＣカードの端子側の面に接触するローラーが金属製であり、かつそのローラーの外周面に不導体層が形成されていることを特徴とする。
【００１１】
請求項６記載の発明は、請求項４または５記載の発明において、前記接触端子付きＩＣカードの端子部側の面と接触する金属製のローラーの外周面のうち前記端子部と接触する位置の周面のみ帯状に不導体層が形成されていることを特徴とする。
【００１２】
請求項７記載の発明は、請求項４から６のいずれか１項記載の発明において、前記不導体層は前記金属製のローラーの表面が酸化した酸化膜であることを特徴とする。
【００１３】
請求項８記載の発明は、請求項７記載の発明において、前記カードスタッカーと前記カード印字部との間に、前記接触端子付きＩＣカードを保持した状態で回動することにより裏返す回動保持器を備えたことを特徴とする。
【００１４】
請求項９記載の発明は、請求項８記載の発明において、前記回動保持器の下方にリジェクトカードスタッカーを備えたことを特徴とする。
【００１５】
請求項１０記載の発明は、接触端子付きＩＣカードを複数対のローラーで挟み、各ローラーを回転駆動してカードスタッカー側からカードホッパー側に搬送する接触端子付きＩＣカード搬送方法において、外周面に不導体層を形成した金属製のローラーを準備し、前記金属製のローラーを前記接触端子付きＩＣカードの端子側の面に接触すると共に他のローラーで前記接触端子付きＩＣカードを挟むように前記金属製のローラーを回転駆動して前記接触端子付きＩＣカードを搬送することを特徴とする。
【００１６】
請求項１１記載の発明は、接触端子付きＩＣカードを複数対のローラーで挟み、各ローラーを回転駆動して該接触端子付きＩＣカードをカードスタッカー側からカードホッパー側に搬送する途中で、カード発行部によりデータの授受を行う接触端子付きＩＣカード発行方法において、外周面に不導体層を形成した金属製のローラーを準備し、該金属製のローラーを前記接触端子付きＩＣカードの端子側の面に接触すると共に他のローラーで前記接触端子付きＩＣカードを挟むように前記カード発行部内に配置し、該金属製のローラーを回転駆動して前記接触端子付きＩＣカードを搬送することを特徴とする。
【００１７】
請求項１２記載の発明は、請求項１１記載の発明において、前記接触端子付きＩＣカードに印字を行うことを特徴とする。
【００１８】
請求項１３記載の発明は、請求項１２記載の発明において、前記印字を行う前に回動保持器により前記接触端子付きＩＣカードを保持した状態で回動することにより裏返すことを特徴とする。
【００１９】
請求項１４記載の発明は、請求項１３記載の発明において、前記接触端子付きＩＣカードに不良が発生すると、前記回動保持器により前記接触端子付きＩＣカードを回動し、前記接触端子付きＩＣカードの延長面がリジェクトカードスタッカーと交差したときに前記接触端子付きＩＣカードをリジェクトカードスタッカー内に搬送させることを特徴とする。
【発明の効果】
【００２０】
本発明によれば、接触端子付きＩＣカードの端子側の面と接触するローラーの少なくとも一つが金属製であり、かつそのローラーの外周面に不導体層を形成することにより、接触端子付きＩＣカードの端子が金属製のローラーと接触する際に接触端子付きＩＣカードの表面に蓄積していた電荷が金属製ローラー及び端子を介してＩＣチップ内に侵入しようとしても、金属製のローラーの表面には不導体層が形成されているので、その蓄積した電荷がＩＣチップ内に侵入するのが防止されＩＣチップ内の回路が破損されることが防止される。
【発明を実施するための最良の形態】
【００２１】
図１は本発明の接触端子付きＩＣカード搬送方法を適用した接触端子付きＩＣカード搬送手段の一実施の形態を示す概念図である。
尚、前述した従来例と同様の部材には共通の符号を用いた。
図１において、搬送手段は、接触端子付きＩＣカード１を複数対（図では２対であるが限定されず、１対でも３対以上であってもよい）のローラー２、３、４、５で挟み、各ローラー２〜５を矢印Ｐ１〜Ｐ４方向に回転駆動して接触端子付きＩＣカード１を一方（例えば、カードスタッカー側）から他方（例えば、カードホッパー側）に矢印Ｐ５方向に搬送する接触端子付きＩＣカード搬送手段であって、ローラー２〜５のうち、接触端子付きＩＣカード１の端子側の面１ａに接触するローラー４が金属製であり、かつそのローラー４の外周面に不導体層７を形成したことを特徴とする。
【００２２】
残りのローラー２、３、５は樹脂製のローラー（例えば、ゴムローラー）が用いられる（ローラー４が樹脂製であり、ローラー５が外周面に不導体層７を有する金属製ローラーであってもよく、ローラー４、５の両方が外周面に不導体層７を有する金属製ローラーであってもよい）。各ローラー２〜５の回転駆動は例えば、モーター駆動もしくはベルト駆動により行われる。
【００２３】
ローラー４の不導体層７は、金属製のローラー６の表面を酸化させた酸化膜であり、例えば、アルミニウム製のローラの表面を酸化させた（アルマイト加工した）ものである。不導体層７の厚さは数十μｍであるのが好ましい。
不導体層７は、金属製のローラー６の外周面全面を酸化させたものであるが、本発明はこれに限定されるものではなく、金属製のローラー６の外周面のうち接触端子付きＩＣカード１の端子部と接触する位置の周面のみ帯状に酸化させてもよい。
【００２４】
次に図１に示した搬送手段の作用について述べる。
接触端子付きＩＣカード１の端子側の面と接触するローラー４が金属製であり、かつその金属製のローラー６の外周面に不導体層７を形成することにより、接触端子付きＩＣカード１の端子が金属製のローラー６と接触する際に接触端子付きＩＣカード１の表面に蓄積していた電荷が金属製ローラー６及び端子を介してＩＣチップ内に侵入しようとしても、金属製のローラー６の表面には不導体層７が形成されているので、その蓄積した電荷がＩＣチップ内に侵入するのが防止されＩＣチップ内の回路が破損されることが防止される。
【００２５】
ここで、本発明の接触端子付きＩＣカード搬送方法は、接触端子付きＩＣカード１を複数対のローラー２−１〜３−４で挟み、各ローラー２−１〜３−４を回転駆動してカードスタッカー側１０からカードホッパー側１２に搬送する接触端子付きＩＣカード搬送方法であって、外周面に不導体層７を形成した金属製のローラー４を準備し、金属製のローラー４を接触端子付きＩＣカード１の端子側の面１ａに接触すると共に他のローラー５で接触端子付きＩＣカード１を挟むように金属製のローラー４を回転駆動して接触端子付きＩＣカード１を搬送することを特徴とするものである。
【００２６】
次に、本発明の接触端子付きＩＣカード発行方法は、接触端子付きＩＣカード１を複数対のローラー２−１〜３−４で挟み、各ローラー２−１〜３−４を回転駆動して接触端子付きＩＣカード１をカードスタッカー１０側からカードホッパー１２側に搬送する途中で、カード発行部１１によりデータの授受を行う接触端子付きＩＣカード発行方法であって、外周面に不導体層７を形成した金属製のローラー４を準備し、金属製のローラー４を接触端子付きＩＣカード１の端子側の面１ａに接触すると共に他のローラー５で接触端子付きＩＣカード１を挟むようにカード発行部１１内に配置し、金属製のローラー４を回転駆動して接触端子付きＩＣカード１を搬送することを特徴とする。
【００２７】
図２は、本発明の接触端子付きＩＣカード発行方法を適用した接触端子付きＩＣカード発行装置の模式図である。
図２において、データの授受前（もしくは検査前）の接触端子付きＩＣカード１を収容するカードスタッカー１０、接触端子付きＩＣカード１にデータを授受するカード発行部１１、およびデータ授受後の接触端子付きＩＣカード１を収容するカードホッパー１２が搬送線１４に沿って一列に配置されている。カードスタッカー１０、カード発行部１１、およびカードホッパー１２の間には複数対（図えは４対であるが限定されない）のローラー２−１、３−１、２−２、３−２、２−３、３−３、２−４、３−４が配置され、各ローラー２−１〜３−４は接触端子付きＩＣカード１が矢印Ｐ５方向に搬送されるように回転駆動されるようになっている。
【００２８】
印字部１１の内部には図１に示したローラー対４、５（波線で示す）が配置されている。ローラー対４、５もローラー２−１〜３−４と同様に回転駆動されるようになっている。また、カードホッパー１２内にもローラー１３が内蔵されており、ローラー１３はデータ授受後の接触端子付きＩＣカード１をカードホッパー１２内に収容するように回転駆動される。
これらローラー２−１〜３−３、４、５、１３および図示しないモーターで搬送手段が構成されている。
【００２９】
カードスタッカー１０内に収容された接触端子付きＩＣカード１は、各ローラー２−１〜３−３、４、５、１３が回転駆動されると、カードスタッカー１０からローラー２−１〜３−２により矢印Ｐ５方向に搬送され、カード発行部１１でデータが授受される。カード発行部１１で何らかの原因で静電気が接触端子付きＩＣカード１に帯電し、ローラー４を介してＩＣチップ内に侵入しようとしてもローラー４の不導体層７（図１参照）で絶縁されているため、ＩＣチップの静電破壊が防止される。
接触端子付きＩＣカード１はカード発行部１１でデータが授受された後、ローラー２−３〜３−４、１３で矢印Ｐ５方向に搬送され、カードホッパー１２内に収容される。
【００３０】
ここで、本発明の接触端子付きＩＣカード発行方法は、接触端子付きＩＣカード１を複数対のローラー２−１〜３−４で挟み、各ローラー２−１〜３−４を回転駆動して接触端子付きＩＣカード１をカードスタッカー１０側からカードホッパー１２側に搬送する途中で、カード発行部１１によりデータの授受を行う接触端子付きＩＣカード発行方法であって、外周面に不導体層７を形成した金属製のローラー４を準備し、金属製のローラー４を接触端子付きＩＣカード１の端子側の面１ａに接触すると共に他のローラー５で接触端子付きＩＣカード１を挟むようにカード発行部１１内に配置し、金属製のローラー４を回転駆動して接触端子付きＩＣカード１を搬送することを特徴とする。
【００３１】
図３は、本発明の接触端子付きＩＣカード発行方法を適用した他の接触端子付きＩＣカード発行装置の模式図である。
図３に示した接触端子付きＩＣカード発行装置の図２に示した接触端子付きＩＣカード発光装置との相違点は、カードスタッカー１０とカードホッパー１２との間（この場合、カード発行部とカードホッパー１２との間であるが、カードスタッカー１０とカード発行部１１との間でもよい）に接触端子付きＩＣカード１に印字を行うカード印字部２０を備え、カードスタッカー１０とカード印字部２０との間（この場合、カードスタッカー１０とカード発行部１１との間であるが、カード発行部１１とカード印字部２０とが入れ替わった配置状態であってもよい。）に、接触端子付きＩＣカード１を保持した状態で矢印Ｐ６方向に回動することにより裏返す回動保持器２１を備え、回動保持器２１の下方に不良の接触端子付きＩＣカード１を収容するリジェクトカードスタッカー２３を備えた点である。
【００３２】
回動保持器２１は、中心軸２１ａのまわりに回動自在で互いに（紙面に垂直な方向に）対向する一対のローラー保持板２２（２３）と、ローラー保持板２２（２３）間に回転自在に設けられた２対のローラー２−５、３−５、２−６、３−６と、ローラー保持板２２（２３）およびローラー２−５〜３−６を回転駆動するモータ（図示せず）とで構成されている。
これらローラー２−１、３−１、２−３〜３−４、２−５、３−５、２−６、３−６、４−１、５−１、４−２、５−２、１３および図示しないモーターで搬送手段が構成されている。
【００３３】
カードスタッカー１０内に収容された接触端子付きＩＣカード１は、各ローラー２−１、３−１、２−３〜３−４、２−５、３−５、２−６、３−６、４−１、５−１、４−２、５−２、１３が回転駆動されると、カードスタッカー１０からローラー２−５、３−５、２−６、３−６により矢印Ｐ５方向に搬送される（このとき、回動保持器２１は回動せずに図に示した状態で待機している）。接触端子付きＩＣカード１は、カード発行部１１でデータが授受される。カード発行部１１で何らかの原因で静電気が接触端子付きＩＣカード１に帯電し、ローラー４−１を介してＩＣチップ内に侵入しようとしてもローラー４−１の不導体層７（図１参照）で絶縁されているため、ＩＣチップの静電破壊が防止される。
データが授受された接触端子付きＩＣカード１はローラ４−１、５−１、２−１、３−１で矢印Ｐ５方向に搬送され、カード印字部２０で文字や数字もしくは接触端子付きＩＣカード１の所有者の顔画像等が印字される。カード印字部２０で何らかの原因で静電気が接触端子付きＩＣカード１に帯電し、ローラー４−２を介してＩＣチップ内に侵入しようとしてもローラー４−２の不導体層７（図１参照）で絶縁されているため、ＩＣチップの静電破壊が防止される。
【００３４】
接触端子付きＩＣカード１はカード印字部２０で文字や数字等が印字された後、ローラー４−２、５−２、２−３、３−３、２−４、３−４、１３で矢印Ｐ５方向に搬送され、カードホッパー１２内に収容される。
ここで、カード発行部１１もしくはカード印字部２０で不良が発生した場合、ローラー４−１、５−１、２−１、３−１、４−２、５−２は回転駆動方向を反転し、矢印Ｐ５方向とは反対方向に接触端子付きＩＣカード１を搬送し回動保持器２１に搬送する。回動保持器２１はローラー２−５、３−５、２−６、３−６の回転を停止することで接触端子付きＩＣカード１を保持し、接触端子付きＩＣカード１の延長面がリジェクトカードスタッカー２３と交差したときに接触端子付きＩＣカード１をリジェクトカードスタッカー２３内に搬送させる、例えば矢印Ｐ６方向に９０度回動して接触端子付きＩＣカード１が水平状態から鉛直状態になるようにし、ローラー２−５、３−５、２−６、３−６を回転駆動して、不良の接触端子付きＩＣカード１をリジェクトカードスタッカー２３内に搬送させて収容するようになっている。
【００３５】
尚、図３に示した接触端子付きＩＣカード発行装置においては、カードスタッカー１０から接触端子付きＩＣカード１を端子面１ａが上側を向いた状態でカード発行部１１、カード印字部２０、およびカードホッパー１２に搬送する場合で説明したが、本発明はこれに限定されるものではなく、接触端子付きＩＣカード１を端子面１ａが下側を向いた状態でカード発行部１１、カード印字部２０、およびカードホッパー１２に搬送するようにしてもよく、このような場合には回動保持器２１を矢印Ｐ６方向に１８０度回動させることで実現できる。
【００３６】
以上において、本発明によれば、接触端子付きＩＣカードの端子側の面と接触するローラーが金属製であり、かつそのローラーの外周面に不導体層を形成することにより、接触端子付きＩＣカードの端子が金属製のローラーと接触する際に接触端子付きＩＣカードの表面の電荷が金属製ローラー及び端子を介してＩＣチップ内に侵入しようとしても、金属製のローラーの表面には不導体層が形成されているので、電荷がＩＣチップ内に侵入するのが防止されＩＣチップ内の回路が破損されることが防止される。
【００３７】
なお、本実施の形態では、接触端子付きＩＣカード発行装置の場合で説明したが、本発明はこれに限定されず、接触端子付きＩＣカード製造装置に適用してもよい。
この場合、接触端子付きＩＣカードモジュールを、カード基材でラミネートするか、あるいはカード基材に埋め込んで接触端子付きＩＣカードを形成する形成手段と、接触端子付きＩＣカードを複数対のローラーで挟んで次工程に搬送する搬送手段とを備えたものとし、その複数対のローラーのうち接触端子付きＩＣカードの端子側の面に接触するローラーが金属製であり、かつそのローラーの外周面に不導体層が形成されていればよい。また、本発明は、接触端子付きＩＣカードの搬送手段、搬送方法、発行装置、および発行方法に限定されず、コンビネーションカードもしくはハイブリッドカードの搬送手段、搬送方法、発行装置に適用してもよい。
また、本実施の形態では、接触端子付きＩＣカード１が水平な状態で搬送される場合で説明したが、本発明はこれに限定されるものではなく、接触端子付きＩＣカード１が垂直な状態で搬送するように構成してもよい（この場合、図１〜３は平面図となる）。
【００３８】
ところで、特開２０００−２９８４０８号公報の段落「００７４」にはステンレスの基材１３２ａ上に被覆層１３２ｂとしてアルマイト層を設けることが開示されているが、この従来技術の目的は中間転写ベルト上に転写されたトナー像の飛び散りを防止するものであり、本発明の目的とする、接触端子付きＩＣカードの静電破壊を防止した接触端子付きＩＣカード搬送手段、接触端子付きＩＣカード発行装置、接触端子付きＩＣカード搬送方法、及び接触端子付きＩＣカード発行方法を提供すること、構成、並びに産業上の利用分野を異にするものである。
【図面の簡単な説明】
【００３９】
【図１】本発明の接触端子付きＩＣカード搬送方法を適用した接触端子付きＩＣカード搬送手段の一実施の形態を示す概念図である。
【図２】本発明の接触端子付きＩＣカード発行方法を適用した接触端子付きＩＣカード発行装置の模式図である。
【図３】本発明の接触端子付きＩＣカード発行方法を適用した他の接触端子付きＩＣカード発行装置の模式図である。
【図４】従来のカードの搬送手段を示す模式図である
【図５】従来のカードの搬送手段を示す他の模式図である。
【符号の説明】
【００４０】
１    接触端子付きＩＣカード
２〜５    ローラー
６    金属製のローラー
７    不導体層
【図１】
2005267114.tif 000003
【図２】
2005267114.tif 000004
【図３】
2005267114.tif 000005
【図４】
2005267114.tif 000006
【図５】
2005267114.tif 000007